(57)【特許請求の範囲】
【請求項１】
一端が交流電圧の整流出力の一端に接続される第１コンデンサ手段と、
一端が前記交流電圧の整流出力の一端に接続され前記第１コンデンサ手段とは独立に充電される第２コンデンサ手段と、
一次巻線の一端が前記第２コンデンサ手段の一端に接続されると共に、二次巻線の一端が前記第１コンデンサ手段の一端に接続される昇圧トランス手段と、
アノード端子が一次巻線の他端に接続されると共に、カソード端子が交流電圧の整流出力の他端、第１コンデンサ手段の他端及び第２コンデンサ手段の他端に接続されるサイリスタ手段と、
一端が前記二次巻線の他端に接続されると共に、他端が前記アノード端子及び一次巻線の他端に接続される点火プラグと
を具備してなる点火装置。
【請求項２】
前記第１コンデンサ手段と前記第２コンデンサ手段とが抵抗手段により互いに独立に分離されてなる請求項１記載の点火装置。
【請求項３】
前記第１コンデンサ手段と前記第２コンデンサ手段とがダイオード手段により互いに独立に分離されてなる請求項１記載の点火装置。
【発明の詳細な説明】
【０００１】
【発明の属する技術分野】
本発明は、点火装置に係わり、特にストアードエネルギーが小さく、点火周期の早い高電圧出力型点火装置の改良に関する。
【０００２】
【従来の技術】
図４に基づき、従来点火装置の一例を説明する。１はブロッキング発振器、２は一次巻線２ａにブロッキング発振器出力が与えられる出力トランス、３は出力トランス２の二次巻線２ｂに誘起される交流電圧（例えば８００Ｖ）を整流するダイオードである。
【０００３】
４は整流出力で充電される主コンデンサ、Ｖｃはその端子間の出力電圧である。主コンデンサ４の出力は、昇圧トランス５の一次巻線５ａと補助コンデンサ６とサイリスタ７との直列回路に接続される。
更に、前記主コンデンサ４の出力は、前記昇圧トランス５の二次巻線５ｂと点火プラグ８とのサイリスタ７との直列回路に接続される。
【０００４】
点線のブロック９はサイリスタ７のトリガ制御回路である。この回路において、主コンデンサの出力電圧Ｖｃの分圧電圧Ｖｉとツェナーダイオード１０による定電圧Ｖｓがコンパレータ１１により比較される。主コンデンサ４の充電によりＶｃが上昇し、ＶｉがＶｓを超えた時にサイリスタのゲートにトリガ電流Ｉｇが供給され、サイリスタ７を導通制御する。
【０００５】
サイリスタ７の導通により、主コンデンサ４の電荷の一部が昇圧トランス５の一次巻線５ａを介して補助コンデンサ６を充電する。この補助コンデンサは主コンデンサの１／１０程度の容量であり、充電電流は微小で、充電時間は短い。
【０００６】
一次巻線５ａを短時間に流れる電流により昇圧トランス５の二次巻線５ｂには高圧（例えば２０ＫＶ）Ｖｐが誘起され、この高電圧パルスによりスパークする点火プラグ８を介して主コンデンサ４の電荷が短時間で放電する。
更に補助コンデンサ６の電荷も並列抵抗を介して放電し、回路は初期状態に戻り、以下同一動作を周期的に反復する。
【０００７】
一般的な点火装置の設計では、主コンデンサのストアードエネルギーは１乃至５ジュール程度であり、主コンデンサ４として１μＦ、補助コンデンサ６として００. ３乃至０. １μＦとした場合、５回／ｓｅｃ程度の周期でスパークが発生する。
【０００８】
【発明が解決しようとする課題】
点火装置の用途が拡大し、小さなストアードエネルギー（例えば２０乃至３０ミリジュール）で高速（１００回／ｓｅｃ以上）点火周期の設計を想定した場合に、図４の従来構成では、主コンデンサ４は０. １μＦ、補助コンデンサ６としては０. ０１μＦ程度を選定する必要がある。
【０００９】
このように、補助コンデンサ６の容量が小さいので、昇圧トランス５の設計を従来と同一にした場合には、一次巻線５ａを短時間に流れる充電電流が極めて小さくなり、昇圧トランス５の二次巻線５ｂに十分な高圧（例えば２０ＫＶ）Ｖｐを誘起することが困難となり、失火が発生する問題がある。
【００１０】
本発明は、ストアードエネルギーが小さく、かつ高速周期・高電圧出力の設計とした場合でも失火のおそれのない点火装置の実現を目的とする。
【００１１】
【課題を解決するための手段】
前記問題点を解決するために、第１の発明の特徴は、一端が交流電圧の整流出力の一端に接続された第１コンデンサ手段と、一端が前記交流電圧の整流出力の一端に接続され前記第１コンデンサ手段とは独立に充電される第２コンデンサ手段と、一次巻線の一端が前記第２コンデンサ手段の一端に接続されると共に、二次巻線の一端が前記第１コンデンサ手段の一端に接続される昇圧トランス手段と、アノード端子が一次巻線の他端に接続されると共に、カソード端子が交流電圧の整流出力の他端、第１コンデンサ手段の他端及び第２コンデンサ手段の他端に接続されるサイリスタ手段と、一端が前記二次巻線の他端に接続されると共に、他端が前記アノード端子及び一次巻線の他端に接続される点火プラグとを具備してなる、点にある。
【００１２】
第２の発明の特徴は、前記第１コンデンサ手段と前記第２コンデンサ手段とが抵抗手段により互いに独立に分離されてなる点にある。
【００１３】
第３の発明の特徴は、前記第１コンデンサ手段と前記第２コンデンサ手段とがダイオード手段により互いに独立に分離されてなる点にある。
【００１４】
【発明の実施の形態】
以下図面により本発明の実施形態を説明する。図１は本発明を適用した点火装置の一実施形態を示す回路構成図であり、図４で説明した要素と同一要素には同一符号を付して説明を省略し、特徴部につき説明する。
【００１５】
１１は第１コンデンサ手段であり、分離手段１３を構成する抵抗を介して整流出力により充電される。１２は第２コンデンサ手段であり、整流出力により直接充電される。従って、これら第１、第２コンデンサ手段は分離手段１３の介在により互いに独立して整流出力で充電される。
【００１６】
第１コンデンサ手段１１の出力は、昇圧トランス５の二次巻線５ｂと点火プラグ８とサイリスタ７との直列回路に接続されている。更に第２コンデンサ手段１２の出力は、昇圧トランス５の一次巻線５ａとサイリスタ７の直列回路に接続されている。
【００１７】
第１コンデンサ手段１１及び第２コンデンサ手段１２の容量は、図４の補助コンデンサ６とほぼ同一の例えば０. １μＦに選定されており、整流ダイオード３を介して独立に約８００Ｖ（Ｖｃ）程度に充電される。
【００１８】
トリガ制御回路９の動作は図４と同様であり、第２コンデンサ手段１２の出力電圧Ｖｃの分圧電圧Ｖｉとツェナーダイオード１０による定電圧Ｖｓがコンパレータ１１により比較される。主コンデンサ４の充電によりＶｃが上昇し、ＶｉがＶｓを超えた時にサイリスタのゲートにトリガ電流Ｉｇが供給され、サイリスタ７を導通制御する。
【００１９】
サイリスタ７の導通により、第２コンデンサ手段１２の電荷が昇圧トランス５の一次巻線５ａを介して放電する。一次巻線５ａを短時間に流れる電流により昇圧トランス５の二次巻線５ｂには高圧（例えば２０ＫＶ）Ｖｐが誘起され、この高電圧パルスによりスパークする点火プラグ８を介して第１コンデンサ手段１１の電荷が短時間で放電し、回路は初期状態に戻り、以下同一動作を周期的に反復する。
【００２０】
図２は本発明の他の実施形態を示す回路構成図であり、図１との相違点は分離手段１３としてダイオードを用いた点が特徴であり、他の構成及び動作は図１と同一である。
【００２１】
図３は更に本発明の他の実施形態を示す回路構成図であり、第１コンデンサ手段１１が昇圧トランスの二次巻線５ｂと直列に接続され、第２コンデンサ手段１２が昇圧トランスの一次巻線５ａと直列に接続された点が特徴であるが、動作は図１と同一である。
【００２２】
本発明によれば、昇圧トランスの二次巻線５ｂを介して点火プラグ８に電荷を供給する第１コンデンサ手段とは独立に、昇圧トランスの一次巻線５ａに昇圧用の放電電流を供給する第２コンデンサ手段の容量を設定できる。
【００２３】
従って、昇圧トランス５の設計を図４と同一にした場合でも、従来例とほぼ等しい一次巻線電流を供給できるので、点火プラブ８が十分にスパーク可能な高圧Ｖｐを二次巻線側に誘起せしめることが可能である。
【００２４】
更に本発明によれば、昇圧トランスの二次巻線５ｂを介して点火プラグ８に電荷を供給する第１コンデンサ手段１１は、トリガ制御回路９や第２コンデンサ手段１２に影響されず、自由にストアードエネルギーを選定できるので、ストアードエネルギーの小さい高電圧出力型点火装置の設計が容易となる。
【００２５】
前記実施例では、点火プラグの一端は昇圧トランスの二次巻線５ｂに、他端はサイリスタのアノードに接続されているが、他端を整流出力の一端に接続する構成でもよい。又、分離手段１３は第１コンデンサ手段１１側に挿入した例を示したが、第２コンデンサ手段側に挿入しても効果は変わらない。
【００２６】
【発明の効果】
以上説明したように、本発明によれがストアードエネルギーが小さく、高速周期の設計とした場合でも失火のおそれのない点火装置を容易に実現することができる。
【図面の簡単な説明】
【図１】  本発明を適用した点火装置の一実施例を示す回路構成図である。
【図２】  本発明を適用した点火装置の他の実施例を示す回路構成図である。
【図３】  本発明を適用した点火装置の更に他の実施例を示す回路構成図である。
【図４】  従来の点火装置の一例を示す回路構成図でる。
【符号の説明】
１  ブロッキング発振器
２  出力トランス
３  整流ダイオード
５  昇圧トランス
７  サイリスタ
８  点火プラグ
９  トリガ制御回路
１１  第１コンデンサ手段
１２  第２コンデンサ手段
１３  分離手段
【図１】
0003833500.tif 000002
【図２】
0003833500.tif 000003
【図３】
0003833500.tif 000004
【図４】
0003833500.tif 000005